(57)【要約】【課題】セット値を変更する電子装置及び方法を提供する。【解決手段】本発明は、電子装置の動作方法において、設定された領域に対するタッチ入力を感知し、保存されたセット値を変更可能なセッティング変更モードに切り替える過程と、前記保存されたセット値のうち少なくとも１つのセット値の変更を入力可能な少なくとも１つのガイドインタフェースを表示する過程と、前記表示されたガイドインタフェースの任意の領域に対する所定のジェスチャを感知し、変更された少なくとも１つのセット値を保存するか否かを決定する過程とをその構成上の特徴とするセット値を変更する電子装置及び方法に関する。【選択図】図１
2014096134.tif 000002
【特許請求の範囲】
【請求項１】
電子装置の動作方法において、
設定された領域に対するタッチ入力を感知し、保存されたセット値を変更可能なセッティング変更モードに切り替える段階と、
前記保存されたセット値のうち少なくとも１つのセット値の変更を入力可能な少なくとも１つのガイドインタフェースを表示する段階と、
前記表示されたガイドインタフェースの任意の領域に対する所定のジェスチャを感知し、変更された少なくとも１つのセット値を保存するか否かを決定する段階と
を含むことを特徴とする方法。
【請求項２】
前記設定された領域は、
現在の状態を示す少なくとも１つのアイコンが配列されているインジケータ領域であることを特徴とする請求項１に記載の方法。
【請求項３】
前記設定された領域に対するタッチ入力を感知し、保存されたセット値を変更可能なセッティング変更モードに切り替える段階は、
前記設定された領域に対する設定された時間以上のタッチ入力を感知する段階と、
前記タッチ入力を感知し、前記セッティング変更モードに切り替える段階と
を含むことを特徴とする請求項１に記載の方法。
【請求項４】
前記ガイドインタフェースは、
前記保存されたセット値のうちいずれか１つのセット値を調節可能なように設定された中心領域を基準に第１方向又は第２方向にドラッグされていることを表示するか又はタッチ入力されていることを表示する所定の形状であることを特徴とする請求項１に記載の方法。
【請求項５】
前記感知されたジェスチャを分析して前記感知されたジェスチャにマッチングされるように保存されたセット値のうち少なくとも１つのセット値を変更する段階と、
前記変更された少なくとも１つのセット値を反映してシステムセット値を変更する段階と
をさらに含むことを特徴とする請求項１に記載の方法。
【請求項６】
前記変更された少なくとも１つのセット値を保存するか否かを決定する段階は、
アイドルモードがフォアグラウンドで実行されていることを確認する段階と、
前記フォアグラウンドで実行されているアイドルモードの終了を入力される段階と、
前記変更された少なくとも１つのセット値を保存した後、前記フォアグラウンドで実行されているアイドルモードを終了する段階と
を含むことを特徴とする請求項１に記載の方法。
【請求項７】
前記アイドルモード及び保存された少なくとも１つのアプリケーションのうちいずれか１つをフォアグラウンドで実行する段階と、
前記保存されたセット値が反映されてシステムセット値が変更されたことを検出する段階と
をさらに含むことを特徴とする請求項６に記載の方法。
【請求項８】
前記変更された少なくとも１つのセット値を保存するか否かを決定する段階は、
任意のアプリケーションがフォアグラウンドで実行されていることを確認する段階と、
前記フォアグラウンドで実行されているアプリケーションの終了を入力される段階と、
前記変更された少なくとも１つのセット値を保存することなく、前記アプリケーションの実行を終了する段階と
を含むことを特徴とする請求項１に記載の方法。
【請求項９】
アイドルモード及び保存された少なくとも１つのアプリケーションのうちいずれか１つをフォアグラウンドで実行する段階と、
変更される前のセット値が反映されてシステムセット値が変更されなかったことを検出する段階と
をさらに含むことを特徴とする請求項８に記載の方法。
【請求項１０】
保存された少なくとも１つのアプリケーションのうちそれぞれのアプリケーションを区分してデータ情報を保存する段階と、
前記少なくとも１つのアプリケーションのデータ情報が設定された容量以上保存されたことを検出する段階と、
前記設定された容量以上のデータ情報が保存されたアプリケーションがフォアグラウンドで実行されていることを確認した場合、前記保存されたデータ情報が反映されたセット値を適用する段階と
をさらに含むことを特徴とする請求項１に記載の方法。
【請求項１１】
前記保存されたデータ情報が反映されたセット値を適用する段階は、
前記設定された容量以上のデータ情報が保存されたアプリケーションの実行時間、ＧＰＳ情報及びバッテリ容量のうち少なくとも１つのデータ情報を反映してセット値を適用することを特徴とする請求項１０に記載の方法。
【請求項１２】
電子装置であって、
保存されたセット値のうち少なくとも１つのセット値の変更を入力可能な少なくとも１つのガイドインタフェースを表示するタッチスクリーンと
設定された領域に対するタッチ入力を感知し、前記保存されたセット値を変更可能なセッティング変更モードに切り替え、前記表示されたガイドインタフェースの任意の領域に対する所定のジェスチャを感知し、変更された少なくとも１つのセット値を保存するか否かを決定するプロセッサユニットと
を含むことを特徴とする装置。
【請求項１３】
前記設定された領域は、
現在の状態を示す少なくとも１つのアイコンが配列されているインジケータ領域であることを特徴とする請求項１２に記載の装置。
【請求項１４】
前記プロセッサユニットは、前記設定された領域に対する設定された時間以上のタッチ入力を感知し、前記セッティング変更モードに切り替えることを特徴とする請求項１２に記載の装置。
【請求項１５】
前記ガイドインタフェースは、
前記保存されたセット値のうちいずれか１つのセット値を調節可能なように設定された中心領域を基準に第１方向又は第２方向にドラッグされていることを表示するか又はタッチ入力されていることを表示する所定の形状であることを特徴とする請求項１２に記載の装置。
【請求項１６】
前記プロセッサユニットは、前記感知されたジェスチャを分析して前記感知されたジェスチャにマッチングされるように保存されたセット値のうち少なくとも１つのセット値を変更し、前記変更された少なくとも１つのセット値を反映してシステムセット値を変更することを特徴とする請求項１２に記載の装置。
【請求項１７】
前記タッチスクリーンは、フォアグラウンドで実行されているアイドルモードの終了を入力され、
前記プロセッサユニットは、アイドルモードがフォアグラウンドで実行されていることを確認し、前記変更された少なくとも１つのセット値を保存した後、前記フォアグラウンドで実行されているアイドルモードを終了することを特徴とする請求項１２に記載の装置。
【請求項１８】
前記プロセッサユニットは、前記アイドルモード及び保存された少なくとも１つのアプリケーションのうちいずれか１つをフォアグラウンドで実行し、前記保存されたセット値が反映されてシステムセット値が変更されたことを検出することを特徴とする請求項１７に記載の装置。
【請求項１９】
前記タッチスクリーンは、フォアグラウンドで実行されているアプリケーションの終了を入力され、
前記プロセッサユニットは、任意のアプリケーションが前記フォアグラウンドで実行されていることを確認し、前記変更された少なくとも１つのセット値を保存することなく、前記アプリケーションの実行を終了することを特徴とする請求項１２に記載の装置。
【請求項２０】
前記プロセッサユニットは、アイドルモード及び保存された少なくとも１つのアプリケーションのうちいずれか１つをフォアグラウンドで実行し、変更される前のセット値が反映されてシステムセット値が変更されなかったことを検出することを特徴とする請求項１９に記載の装置。
【請求項２１】
保存された少なくとも１つのアプリケーションのうちそれぞれのアプリケーションを区分してデータ情報を保存するメモリをさらに含み、
前記プロセッサユニットは、前記少なくとも１つのアプリケーションのデータ情報が設定された容量以上保存されたことを検出し、前記設定された容量以上のデータ情報が保存されたアプリケーションがフォアグラウンドで実行されていることを確認した場合、前記保存されたデータ情報が反映されたセット値を適用することを特徴とする請求項１２に記載の装置。
【請求項２２】
前記プロセッサユニットは、前記設定された容量以上のデータ情報が保存されたアプリケーションの実行時間、ＧＰＳ情報及びバッテリ容量のうち少なくとも１つのデータ情報を反映してセット値を適用することを特徴とする請求項２１に記載の装置。
【発明の詳細な説明】
【技術分野】
【０００１】
本発明は、セット値を変更する電子装置及び方法に関する。
【背景技術】
【０００２】
電子装置の機能の発展に伴い、電子装置に様々なソフトウェアをインストールしたり大容量のファイルを保存したりするための大容量の保存空間を備えた電子装置が増加している。これにより、電子装置に保存されているアプリケーションを実行させる場合はそれぞれのアプリケーションの種類及び周辺環境に適合するようにセット値を毎回設定しなければならなかった。例えば、電子装置で同じアプリケーションを実行させる場合でも、静かな環境ではアプリケーションのボリュームを下げなければならず、暗い場所でアプリケーションを実行させる場合はタッチボタンの照明点灯時間を増やすことが好ましい。
【０００３】
しかし、ユーザがセット値を変更するためには、実行中のアプリケーションを終了し、環境を設定できるメニューに進んでセット値を変更した後、再度該当アプリケーションを実行させなければならない面倒さがあった。また、ユーザがアプリケーションを実行している間にセット値を変更する場合は環境設定メニューに進むため、リアルタイムに変更されるセット値の変更による状態変化を確認することができなかった。その上、電子装置で特定の値にセット値が設定されると全てのアプリケーションで設定されたセット値が適用されてそれぞれのアプリケーションの最適化された実行環境に適合しない。すなわち、ユーザは、電子装置に保存されたアプリケーションを実行させる場合、それぞれのアプリケーションの実行環境に適合するように毎回セット値を変更させなければならなかった。
【先行技術文献】
【特許文献】
【０００４】
【特許文献１】韓国特許出願公開第２００６−０１１３３７５号明細書
【発明の概要】
【発明が解決しようとする課題】
【０００５】
したがって、ユーザが実行中のアプリケーションを終了することなく、セット値の変更による変化された動作状態を直接確認しながらセット値を変更できる電子装置及び変更されたセット値が以後のアプリケーションの実行には影響を与えない電子装置の開発が至急な実情である。
【課題を解決するための手段】
【０００６】
上記目的を達成するための本発明の特徴によるセット値を変更する電子装置の動作方法は、電子装置の動作方法において、設定された領域に対するタッチ入力を感知し、保存されたセット値を変更可能なセッティング変更モードに切り替える段階と、前記保存されたセット値のうち少なくとも１つのセット値の変更を入力可能な少なくとも１つのガイドインタフェースを表示する段階と、前記表示されたガイドインタフェースの任意の領域に対する所定のジェスチャを感知し、変更された少なくとも１つのセット値を保存するか否かを決定する段階とをその構成上の特徴とする。
【０００７】
好ましくは、前記設定された領域は、現在の状態を示す少なくとも１つのアイコンが配列されているインジケータ領域であり得る。
好ましくは、前記設定された領域に対するタッチ入力を感知し、保存されたセット値を変更可能なセッティング変更モードに切り替える段階は、前記設定された領域に対する設定された時間以上のタッチ入力を感知する段階と、前記タッチ入力を感知し、前記セッティング変更モードに切り替える段階とを含み得る。
【０００８】
好ましくは、前記ガイドインタフェースは、前記保存されたセット値のうちいずれか１つのセット値を調節可能なように設定された中心領域を基準に第１方向又は第２方向にドラッグされていることを表示するか又はタッチ入力されていることを表示する所定の形状であり得る。
好ましくは、前記感知されたジェスチャを分析して前記感知されたジェスチャにマッチングされるように保存されたセット値のうち少なくとも１つのセット値を変更する段階と、前記変更された少なくとも１つのセット値を反映してシステムセット値を変更する段階とをさらに含み得る。
【０００９】
好ましくは、前記変更された少なくとも１つのセット値を保存するか否かを決定する段階は、アイドルモードがフォアグラウンドで実行されていることを確認する段階と、前記フォアグラウンドで実行されているアイドルモードの終了を入力される段階と、前記変更された少なくとも１つのセット値を保存した後、前記フォアグラウンドで実行されているアイドルモードを終了する段階とを含み得る。
好ましくは、前記アイドルモード及び保存された少なくとも１つのアプリケーションのうちいずれか１つをフォアグラウンドで実行する段階と、前記保存されたセット値が反映されてシステムセット値が変更されたことを検出する段階とをさらに含み得る。
【００１０】
好ましくは、前記変更された少なくとも１つのセット値を保存するか否かを決定する段階は、任意のアプリケーションがフォアグラウンドで実行されていることを確認する段階と、前記フォアグラウンドで実行されているアプリケーションの終了を入力される段階と、前記変更された少なくとも１つのセット値を保存することなく、前記アプリケーションの実行を終了する段階とを含み得る。
好ましくは、アイドルモード及び保存された少なくとも１つのアプリケーションのうちいずれか１つをフォアグラウンドで実行する段階と、変更される前のセット値が反映されてシステムセット値が変更されなかったことを検出する段階とをさらに含み得る。
【００１１】
好ましくは、保存された少なくとも１つのアプリケーションのうちそれぞれのアプリケーションを区分してデータ情報を保存する段階と、前記少なくとも１つのアプリケーションのデータ情報が設定された容量以上保存されたことを検出する段階と、前記設定された容量以上のデータ情報が保存されたアプリケーションがフォアグラウンドで実行されていることを確認した場合、前記保存されたデータ情報が反映されたセット値を適用する段階とをさらに含み得る。
好ましくは、前記保存されたデータ情報が反映されたセット値を適用する段階は、前記設定された容量以上のデータ情報が保存されたアプリケーションの実行時間、ＧＰＳ情報及びバッテリ容量のうち少なくとも１つのデータ情報を反映してセット値を適用できる。
【００１２】
前記目的を達成するための本発明の特徴によるセット値を変更する電子装置は、電子装置において、保存されたセット値のうち少なくとも１つのセット値の変更を入力され得る少なくとも１つのガイドインタフェースを表示するタッチスクリーンと、設定された領域に対するタッチ入力を感知し、前記保存されたセット値を変更できるセッティング変更モードに切り替え、前記表示されたガイドインタフェースの任意の領域に対する所定のジェスチャを感知し、変更された少なくとも１つのセット値を保存するか否かを決定するプロセッサユニットとをその構成上の特徴とする。
【００１３】
好ましくは、前記設定された領域は、現在の状態を示す少なくとも１つのアイコンが配列されているインジケータ領域であり得る。
好ましくは、前記プロセッサユニットは、前記設定された領域に対する設定された時間以上のタッチ入力を感知し、前記セッティング変更モードに切り替えることができる。
【００１４】
好ましくは、前記ガイドインタフェースは、前記保存されたセット値のうちいずれか１つのセット値を調節可能なように設定された中心領域を基準に第１方向又は第２方向にドラッグされていることを表示するか又はタッチ入力されていることを表示する所定の形状であり得る。
好ましくは、前記プロセッサユニットは、前記感知されたジェスチャを分析して前記感知されたジェスチャにマッチングされるように保存されたセット値のうち少なくとも１つのセット値を変更し、前記変更された少なくとも１つのセット値を反映してシステムセット値を変更できる。
【００１５】
好ましくは、前記タッチスクリーンは、フォアグラウンドで実行されているアイドルモードの終了を入力され、前記プロセッサユニットは、アイドルモードがフォアグラウンドで実行されていることを確認し、前記変更された少なくとも１つのセット値を保存した後、前記フォアグラウンドで実行されているアイドルモードを終了できる。
好ましくは、前記プロセッサユニットは、前記アイドルモード及び保存された少なくとも１つのアプリケーションのうちいずれか１つをフォアグラウンドで実行し、前記保存されたセット値が反映されてシステムセット値が変更されたことを検出できる。
【００１６】
好ましくは、前記タッチスクリーンは、フォアグラウンドで実行されているアプリケーションの終了を入力され、前記プロセッサユニットは、任意のアプリケーションが前記フォアグラウンドで実行されていることを確認し、前記変更された少なくとも１つのセット値を保存することなく、前記アプリケーションの実行を終了できる。
好ましくは、前記プロセッサユニットは、アイドルモード及び保存された少なくとも１つのアプリケーションのうちいずれか１つをフォアグラウンドで実行し、変更される前のセット値が反映されてシステムセット値が変更されなかったことを検出できる。
【００１７】
好ましくは、保存された少なくとも１つのアプリケーションのうちそれぞれのアプリケーションを区分してデータ情報を保存するメモリをさらに含み、前記プロセッサユニットは、前記少なくとも１つのアプリケーションのデータ情報が設定された容量以上保存されたことを検出し、前記設定された容量以上のデータ情報が保存されたアプリケーションがフォアグラウンドで実行されていることを確認した場合、前記保存されたデータ情報が反映されたセット値を適用できる。
好ましくは、前記プロセッサユニットは、前記設定された容量以上のデータ情報が保存されたアプリケーションの実行時間、ＧＰＳ情報及びバッテリ容量のうち少なくとも１つのデータ情報を反映してセット値を適用できる。
【図面の簡単な説明】
【００１８】
【図１】本発明の一実施形態によるセット値を変更する電子装置を全体的に説明するための図である。
【図２】本発明によるタッチスクリーンに表示されたガイドインタフェースの任意の領域に対する所定のジェスチャを感知してセット値を変更する一実施形態を示す図である。
【図３】本発明によるタッチスクリーンに表示されたガイドインタフェースの任意の領域に対する所定のジェスチャを感知してセット値を変更する別の実施形態を示す図である。
【図４】本発明によるタッチスクリーンに表示されたガイドインタフェースの任意の領域に対する所定のジェスチャを感知してセット値を変更するさらに別の実施形態を示す図である。
【図５】本発明による電子装置で変更された少なくとも１つのセット値を保存するか否かを決定する一実施形態を示す図である。
【図６】本発明による電子装置で変更された少なくとも１つのセット値を保存するか否かを決定する別の実施形態を示す図である。
【図７】本発明による電子装置で変更された少なくとも１つのセット値を保存するか否かを決定するさらに別の実施形態を示す図である。
【図８】本発明による保存されたデータ情報を反映してセット値を適用する一実施形態を示す図である。
【図９】本発明による電子装置の動作順序を示すフローチャートである。
【図１０】本発明の一実施形態による電子装置の構成を示すブロック図である。
【図１１】本発明によるブルートゥースで接続可能なデバイスのうちいずれか１つのデバイスを選択する一実施形態を示す図である。
【発明を実施するための形態】
【００１９】
以下、本発明の好ましい実施形態を添付された図面を参照して詳しく説明する。なお、本発明を説明するに当たって、関連する公知の機能または構成に対する具体的な説明が本発明の要旨を不要に不明確にする虞があると判断された場合、その詳細な説明は省略する。また、以下で記載される用語は、本発明における機能を考慮して定義された用語であって、これはユーザ、運用者の意図または慣例などによって異なることがある。したがって、その定義は本明細書全般にわたる内容に基づいて行われるべきである。
【００２０】
図１は、本発明の一実施形態によるセット値を変更する電子装置を全体的に説明するための図である。図１に示したように、本発明によるセット値を変更する電子装置はインジケータ領域（ｉｎｄｉｃａｔｏｒ  ａｒｅａ）１０１及び少なくとも１つのガイドインタフェース（ｇｕｉｄｅ  ｉｎｔｅｒｆａｃｅ）１０３，１０５，１０７で構成されることができる。
【００２１】
まず、インジケータ領域１０１は、電子装置の少なくとも１つの状態を示すアイコンが配列されている領域と定義できる。より具体的には、電子装置の現在のバッテリ容量、受信感度、アラーム設定有無及びワイファイ接続有無などの状態を示すアイコンが配列されている領域である。すなわち、インジケータ領域１０１は、電子装置のタッチスクリーンの上側上段部分に現在の電子装置の状態などを意味のあるアイコンで表示できる領域である。したがって、ユーザは、インジケータ領域１０１を見て電子装置の現在のバッテリ容量、受信感度、アラーム設定有無、ワイファイ接続有無及び時間を確認することができる。
【００２２】
本発明の電子装置では、インジケータ領域１０１に対するタッチ入力を感知し、保存されたセット値を変更できるセッティング変更モードに切り替えることができる。より具体的には、電子装置は、インジケータ領域１０１に対する設定された時間以上のタッチ入力を感知し、保存されたセット値を変更できるセッティング変更モードに切り替えることができる。例えば、電子装置に設定された時間が３秒であると仮定した場合、電子装置は、インジケータ領域１０１に対するタッチ入力を３秒以上感知した場合、保存されたセット値を変更できるセッティング変更モードに切り替えることができる。ここで、電子装置がセット値を変更できるセッティング変更モードに切り替えられるためには、上記のように、インジケータ領域１０１に対する設定された時間以上のタッチ入力を受けなければならない。なぜなら、電子装置がインジケータ領域１０１に対する設定された時間以上のタッチ入力を受けなければセッティング変更モードに切り替えられない理由は、電子装置で発生し得る誤作動を防止するためである。より具体的には、電子装置がセッティング変更モードに切り替えられるためにインジケータ領域１０１に対する設定された時間以上のタッチ入力を必要としない場合、電子装置はユーザの意図しない入力によってセッティング変更モードに切り替えられる誤作動が発生し得るためである。結論としては、本発明による電子装置は、インジケータ領域１０１に対する設定された時間以上のタッチ入力を感知し、電子装置に保存されたセット値を変更できるセッティング変更モードに切り替えることができる。
【００２３】
ここで、セット値とは、電子装置の環境設定メニューに含まれている値であって、現在、電子装置に適用されている環境設定値と定義できる。より具体的には、セット値は、ユーザが電子装置の環境設定メニューに進み、現在、電子装置に適用されている環境設定値を変更又は入力できる値である。例えば、電子装置のワイファイ接続有無、振動強度、ブルートゥース接続有無、画面明るさ、画面自動回転の設定有無、バッテリ容量表示の有無、節電モードの設定有無、タッチ照明点灯時間、音量の大きさなどがセット値に含まれ得る。すなわち、電子装置の環境設定メニューに含まれている全ての値はセット値と定義され得る。上記のセット値は、オン（ｏｎ）又はオフ（ｏｆｆ）で表示され得る値があり、アップ（ｕｐ）又はダウン（ｄｏｗｎ）で調節され得る値がある。例えば、電子装置のワイファイ接続有無、ブルートゥース接続有無、画面自動回転の設定有無、バッテリ容量表示の有無及び節電モードの設定有無などはオン又はオフで表示され得るセット値であり、音量の大きさ、振動強度、画面明るさ、画面オートオフ時間及びタッチボタン照明点灯時間などはアップ又はダウンで調節され得るセット値である。
【００２４】
ガイドインタフェース１０３，１０５，１０７は、電子装置に保存されたセット値のうちいずれか１つのセット値を調節できるように設定された中心領域１０２，１０４，１０６を基準に第１方向又は第２方向にドラッグされていることを表示するか又はタッチ入力されていることを表示する所定の形状に定義され得る。より具体的には、ガイドインタフェース１０３，１０５，１０７は、ユーザが容易にセット値を設定又は調節できるように少なくとも１つ以上タッチスクリーンに表示されたインタフェースと定義され得る。すなわち、電子装置は、インジケータ領域１０１に対する設定された時間以上のタッチ入力を感知した場合、保存されたセット値を変更できるセッティング変更モードに切り替えるとともに、タッチスクリーンにユーザが便利にセット値を変更できるように少なくとも１つ以上のガイドインタフェース１０３，１０５，１０７を表示できる。例えば、図１には３つのガイドインタフェース１０３，１０５，１０７が表示されているが、それぞれのガイドインタフェース１０３，１０５，１０７の動作方法について記載する。
【００２５】
まず、設定された中心領域１０２を基準に上下の方向にセット値を調節できるガイドインタフェース１０３は、ユーザから設定された中心領域１０２をタッチ入力された後、設定されたセット値をアップ又はダウンできるように調節され得る。例えば、タッチスクリーンに表示されたガイドインタフェース１０３がボリュームのセット値を調節するものである場合、電子装置は、設定された中心領域１０２をタッチ入力された後、矢印上方又は矢印下方にドラッグを感知するか又はタッチ入力されてボリュームのセット値を変更できる。すなわち、電子装置が設定された中心領域１０２をタッチ入力された場合、電子装置はボリュームのセット値を調節するためのモードに切り替えられる。以降、電子装置は、設定された中心領域１０２のボリュームが１０というデフォルト値であることを示す数値などを表示した後、ユーザから感知されたドラッグ方向又はタッチ入力方向に沿って１０というボリュームから増減しているボリューム値を数値などで表示できる。すなわち、ユーザは、設定された中心領域１０２をタッチ入力した後、矢印上方又は矢印下方にドラッグ又はタッチ入力して細部のボリューム値を調節するか又は既存のボリューム値を変更できる。
【００２６】
別の例として、設定された中心領域１０４を基準に左右の方向にセット値を調節できるガイドインタフェース１０５は、ユーザから設定された中心領域１０４をタッチ入力された後、設定されたセット値をアップ又はダウンできるように調節され得る。例えば、タッチスクリーンに表示されたガイドインタフェース１０５が画面明るさのセット値を調節するものである場合、電子装置は、設定された中心領域１０４をタッチ入力された後、矢印左側方向に又は矢印右側方向にドラッグを感知するか又はタッチ入力されて画面明るさのセット値を変更できる。すなわち、電子装置が設定された中心領域１０４をタッチ入力された場合、電子装置は画面明るさのセット値を調節するためのモードに切り替えられる。以降、電子装置は、設定された中心領域１０４の画面明るさが１０というデフォルト値であることを示す数値などを表示した後、ユーザから感知されたドラッグ方向又はタッチ入力方向に沿って１０という画面明るさから増減している画面明るさを数値などで表示できる。すなわち、ユーザは、設定された中心領域１０４をタッチ入力した後、矢印上方又は矢印下方にドラッグ又はタッチ入力して細部の画面明るさを調節するか又は既存の画面明るさを変更できる。
【００２７】
別の例として、設定された中心領域１０６を基準に時計回り又は反時計回りにセット値を調節できるガイドインタフェース１０７は、ユーザから設定された中心領域１０６をタッチ入力された後、設定されたセット値をオン又はオフできるように調節され得る。例えば、タッチスクリーンに表示されたガイドインタフェース１０７が電子装置のワイファイの接続有無を設定するものである場合、電子装置は、設定された中心領域１０６をタッチ入力された後、時計回り又は反時計回りにドラッグされることを感知して電子装置のワイファイの接続有無を設定できる。すなわち、電子装置が設定された中心領域１０６をタッチ入力された場合、電子装置はワイファイの接続有無を設定するためのモードに切り替えられる。以降、電子装置は、時計回りにドラッグされることを感知してワイファイに接続することができ、逆に反時計回りにドラッグされることを感知してワイファイに接続している状態をオフにすることができる。すなわち、ユーザは、設定された中心領域１０６をタッチ入力した後、時計回り又は反時計回りにドラッグしてワイファイの接続有無を設定又は変更できる。
【００２８】
従来は、電子装置に適用されるセット値を変更するためには、実行中のアプリケーションを終了し、セット値を変更できる環境設定領域に進んでユーザの希望するセット値を変更した後、再度従前のアプリケーションを実行しなければならなかった。すなわち、ユーザが実行していたアプリケーションを終了、セット値の変更及び再度アプリケーションを実行するという面倒さがあった。また、ユーザは、リアルタイムに変化されるセット値を直接目で確認しながら、細部のセット値を調節することができなかった。これに対し、本発明による電子装置は、インジケータ領域１０１に対する設定された時間以上のタッチ入力を感知し、保存されたセット値を変更できるセッティング変更モードに切り替えた後、表示されたガイドインタフェースの任意の領域をタッチ入力されてリアルタイムに変化されるセット値を反映できる。より具体的には、ユーザは、アプリケーションを実行中の状態で別途にアプリケーションを終了することなく、即座にセット値を調節できるのでユーザのインタラクションが減少する長所がある。また、ユーザは、リアルタイムに変化されるセット値を直接目で確認しながら、それぞれのアプリケーションの環境に適するように細部のセット値を調節できる長所がある。
【００２９】
本発明による電子装置は、タッチスクリーンに表示されたガイドインタフェースの任意の領域に対する所定のジェスチャを感知し、変更された少なくとも１つのセット値を保存するか否かを決定できる。より具体的には、電子装置は、ガイドインタフェース１０３，１０５，１０７の任意の領域に対する所定のジェスチャを感知し、電子装置においてフォアグラウンド（ｆｏｒｅｇｒｏｕｎｄ）で実行されているモードに応じて変更された少なくとも１つのセット値を保存するか否かを決定できる。すなわち、電子装置は、変更されたセット値を適用した後、現在、電子装置においてフォアグラウンドで実行されているモードに応じて変更されたセット値を保存するか否かを決定できる。ここで、電子装置においてフォアグラウンドで実行されているモードは、アイドルモード（ｉｄｌｅ  ｍｏｄｅ）とアプリケーション実行モードとに区分され得る。
【００３０】
まず、電子装置においてフォアグラウンドで実行されているモードがアイドルモードである場合、電子装置は、変更された少なくとも１つのセット値を保存した後、以後電子装置を実行させる際は変更された少なくとも１つのセット値を適用するようになる。より具体的には、電子装置がアイドルモードの実行中に少なくとも１つのセット値を変更した場合、変更されたセット値は電子装置に保存されるようになる。例えば、電子装置がアイドルモードで画面の明るさを増加させるように入力された場合、電子装置は、変更されたセット値に応じて現在のアイドルモードでの画面の明るさを入力された分増加させ、変更された画面の明るさは電子装置に保存されることができる。すなわち、以降、電子装置が異なるアプリケーションを実行させるか、又は再度アイドルモードで電子装置が実行される場合、電子装置は、従前に保存された画面の明るさに応じてタッチスクリーンに画面を表示できる。
【００３１】
次に、電子装置においてアプリケーションがフォアグラウンドで実行されている場合、電子装置は、変更された少なくとも１つのセット値を保存することなく、アプリケーションの終了とともに変更されたセット値は今後適用されない。より具体的には、電子装置がアプリケーションをフォアグラウンドで実行している間に少なくとも１つのセット値を変更した場合、電子装置は変更されたセット値を電子装置に保存しない。例えば、電子装置がフォアグラウンドで任意のアプリケーションを実行している間に、画面オートオフ時間を既存の３秒から１０秒に変更したと仮定する。上記の仮定で、電子装置は、該当アプリケーションの実行中には画面オートオフ時間が３秒から１０秒に変更されるが、アプリケーションの終了とともに変更された画面オートオフ時間である１０秒は保存されない。したがって、電子装置は、他のアプリケーションを実行する場合、変更された画面オートオフ時間が保存されないことにより他のアプリケーションの画面オートオフ時間は従前のまま３秒にセッティングされ得る。すなわち、本発明による電子装置は、それぞれのアプリケーションを電子装置においてフォアグラウンドで実行している間にセット値の変更があった場合、実行中であったアプリケーションの終了とともに変更されたセット値は保存されない。
【００３２】
結論としては、従来の電子装置では、電子装置においてフォアグラウンドでアイドルモードが実行中またはフォアグラウンドで任意のアプリケーションが実行中の場合、電子装置のセット値の変更のためには一回に１つのセット値のみを変更することができた。また、電子装置に変更されたセット値は、現在、電子装置においてフォアグラウンドで実行されているアプリケーションだけでなく実行されているアプリケーションが終了した後、他のアプリケーションにも変更されたセット値が適用されていた。したがって、アプリケーションを実行している周辺環境やそれぞれのアプリケーションの特性に応じて毎回保存されたセット値を変更しなければならない問題点があった。これに対し、本発明による電子装置では、それぞれのアプリケーションの実行中にセット値が変更された場合、電子装置の変更されたセット値はアプリケーションの実行中にのみ適用され、実行中のアプリケーションの終了とともに変更されたセット値は保存されない。したがって、本発明の電子装置では、実行中のアプリケーションの終了とともに変更されたセット値は保存されないため、毎回それぞれのアプリケーションの特性に合わせてセット値を変更し直さなければならない不便を解消する長所がある。
【００３３】
図２は、本発明によるタッチスクリーンに表示されたガイドインタフェースの任意の領域に対する所定のジェスチャを感知してセット値を変更する一実施形態を示す図である。まず、図２の（ａ）に示したように、Ａアプリケーションをフォアグラウンドで実行している電子装置は、設定された領域であるインジケータ領域２０１に対するタッチ入力を感知し、保存された少なくとも１つ以上のセット値を変更できるセッティング変更モードに切り替えることができる。より具体的には、電子装置は、インジケータ領域２０１に対する設定された時間以上のタッチ入力を感知し、保存された少なくとも１つ以上のセット値を変更できるセッティング変更モードに切り替えることができる。例えば、電子装置に設定された時間が２秒であると仮定した場合、電子装置は、インジケータ領域２０１に対するタッチ入力を２秒以上感知した場合、保存されたセット値を変更できるセッティング変更モードに切り替えることができる。ここで、電子装置がセット値を変更できるセッティング変更モードに切り替えられるためには、インジケータ領域２０１に対する設定された時間以上のタッチ入力を受けなければならない。なぜなら、電子装置がインジケータ領域２０１に対する設定された時間以上のタッチ入力を受けなければセッティング変更モードに切り替えられない理由は、電子装置で発生し得る誤作動を防止するためである。もし、電子装置がセッティング変更モードに切り替えられるためにインジケータ領域２０１に対する設定された時間以上のタッチ入力を必要としない場合、電子装置はユーザの意図しない入力によってセッティング変更モードに切り替えられる誤作動が発生し得るためである。すなわち、本発明による電子装置は、インジケータ領域２０１に対する設定された時間以上のタッチ入力を感知し、電子装置に保存された少なくとも１つ以上のセット値を変更できるセッティング変更モードに切り替えることができる。
【００３４】
以降、図２の（ｂ）に示したように、電子装置は、タッチスクリーンに少なくとも１つのガイドインタフェース２０２，２０３を表示できる。ここで、ガイドインタフェース２０２，２０３は、電子装置に保存されたセット値のうちいずれか１つのセット値を調節できるように設定された中心領域２０４を基準に第１方向又は第２方向にドラッグされていることを表示するか又はタッチ入力されていることを表示する所定の形状に定義され得る。より具体的には、ガイドインタフェース２０２，２０３は、ユーザが容易にセット値を設定又は調節できるように少なくとも１つ以上タッチスクリーンに表示されたインタフェースと定義され得る。すなわち、電子装置は、インジケータ領域２０１に対する設定された時間以上のタッチ入力を感知した場合、保存されたセット値を変更できるセッティング変更モードに切り替えるとともに、タッチスクリーンにユーザが便利にセット値を変更できるように少なくとも１つ以上のガイドインタフェース２０２，２０３を表示できる。本実施形態でのそれぞれのガイドインタフェース２０２，２０３は、設定された中心領域２０４を基準に上下方向にセット値を調節できるガイドインタフェース２０２と左右方向にセット値を調節できるガイドインタフェース２０３とが表示されているが、対角線の方向にも表示されていずれか一方はセット値をアップさせる方向に、他方はセット値をダウンさせる方向に設定できることは勿論である。
【００３５】
以降、図２の（ｃ）に示したように、電子装置は、ユーザからガイドインタフェースの任意の領域をタッチ入力されるか又は任意の領域がドラッグされることを感知し、セット値を変更できる。まず、設定された中心領域２０４を基準に上下の方向にセット値を調節できるガイドインタフェース２０２は、ユーザから設定された中心領域２０４をタッチ入力された後、設定されたセット値をアップ又はダウンできるように調節され得る。例えば、タッチスクリーンに表示されたガイドインタフェース２０２が振動強度のセット値を調節するものである場合、電子装置は、設定された中心領域２０４をタッチ入力された後、矢印上方又は矢印下方にドラッグされることを感知するか又はタッチ入力されて振動強度のセット値を変更できる。すなわち、電子装置が設定された中心領域２０４をタッチ入力された場合、電子装置は振動強度のセット値を調節するためのモードに切り替えられる。以降、電子装置は、設定された中心領域２０４の振動強度が１０というデフォルト値であることを示す数値などを表示した後、ユーザから感知されたドラッグ方向又はタッチ入力方向に沿って１０という振動強度から増減している振動強度値を数値などで表示できる。本実施形態で電子装置は、設定された中心領域２０４をタッチ入力された後、矢印上方にドラッグされることを感知するか又はタッチ入力されて増加された振動強度である１６という振動強度を数値などで表示できる。すなわち、ユーザは、設定された中心領域２０４をタッチ入力した後、矢印上方又は矢印下方にドラッグ又はタッチ入力して細部の振動強度を調節するか又は既存の振動強度を変更できる。
【００３６】
以降、図２の（ｄ）に示したように、電子装置は、ユーザから再度設定された中心領域２０４をタッチ入力されると、変更されたセット値が適用され得る。より具体的には、電子装置が設定された中心領域２０４を再度タッチ入力されると、変更されたセット値が適用されることができ、図２の（ｄ）には図示していないが、別途の案内メッセージを表示し、ユーザから案内メッセージ中の終了ボタンを選択されて変更されたセット値が適用されることもできる。しかし、電子装置が終了ボタンを選択されて変更されたセット値を適用するということは、電子装置で案内メッセージをさらにタッチスクリーンに表示した後、ユーザから終了ボタンをさらに入力される過程が必要となるため、ユーザのインタラクションの数が増加し得る。したがって、ユーザのインタラクションの数を減少させるために上記の実施形態のように、設定された中心領域２０４を再度タッチ入力されることが好ましいであろう。
【００３７】
図３は、本発明によるタッチスクリーンに表示されたガイドインタフェースの任意の領域に対する所定のジェスチャを感知してセット値を変更する別の実施形態を示す図である。まず、Ａアプリケーションをフォアグラウンドで実行している電子装置は、設定された領域であるインジケータ領域３０１に対する設定された時間以上のタッチ入力を感知し、電子装置に保存された少なくとも１つ以上のセット値を変更できるセッティング変更モードに切り替えることができる。より具体的には、電子装置は、インジケータ領域３０１に対する設定された時間以上のタッチ入力を感知し、タッチスクリーンに少なくとも１つのガイドインタフェース３０２，３０３を表示できる。図３の（ａ）に示したように、電子装置は、タッチスクリーンの任意の領域に設定された中心領域３０４を基準に時計回り又は反時計回りにセット値を調節できる少なくとも１つのガイドインタフェース３０２，３０３を表示できる。
【００３８】
本実施形態では、電子装置にワイファイの接続有無を設定できるガイドインタフェース３０２と、電子装置と設定されたデバイスがブルートゥースで接続できるかを設定できるガイドインタフェース３０３とを表示できる。すなわち、電子装置のタッチスクリーンに表示されたガイドインタフェース３０２，３０３のうち、左側のガイドインタフェース３０２は、電子装置にワイファイの接続有無を設定することができ、右側のガイドインタフェース３０３は、電子装置と設定されたデバイスがブルートゥースで接続できるかを設定できるガイドインタフェース３０３を表示できる。例えば、電子装置のタッチスクリーンの右側に表示されたガイドインタフェース３０３の設定された中心領域３０４をタッチ入力された後、時計回り又は反時計回りにドラッグされることを感知して電子装置と設定されたデバイスがブルートゥースで接続できるかを設定できる。すなわち、電子装置は、設定された中心領域３０４をタッチ入力された後、図３の（ｂ）及び図３の（ｃ）に示したように、時計回りにドラッグされることを感知して電子装置と設定されたデバイスがブルートゥースで接続できるように設定できる。
【００３９】
以降、図３の（ｄ）に示したように、電子装置がガイドインタフェース３０３の外縁を時計回りに一回転してドラッグされることを感知した後、再度設定された中心領域をタッチ入力された場合、電子装置は、電子装置と設定されたデバイスがブルートゥースで接続できるように設定できる。もし、電子装置が設定された中心領域３０４を設定された時間以上ロングタッチ入力された場合、電子装置は、他のガイドインタフェースを入力され得るように準備できる状態に進入できる。上記の例で、電子装置で設定された中心領域３０４を設定された時間である３秒未満タッチ入力されていると判断した場合、電子装置は、電子装置と設定されたデバイスがブルートゥースで接続できるように設定した後、少なくとも１つのガイドインタフェースの表示を終了できる。もし、電子装置で設定された中心領域３０４を設定された時間である３秒以上タッチ入力されていると判断した場合、電子装置は、電子装置と設定されたデバイスがブルートゥースで接続できるように設定した後、他のガイドインタフェースを入力され得るように準備できる状態に進入できる。すなわち、本実施形態で電子装置は、設定された中心領域３０４を設定された時間以上タッチ入力されたと判断した場合、電子装置にワイファイ接続有無を設定できる状態に進入できる。
【００４０】
図４は、本発明によるタッチスクリーンに表示されたガイドインタフェースの任意の領域に対する所定のジェスチャを感知してセット値を変更するさらに別の実施形態を示す図である。まず、図４の（ａ）に示したように、Ａアプリケーションをフォアグラウンドで実行している電子装置は、設定された領域であるインジケータ領域４０１に対するタッチ入力を感知し、保存された少なくとも１つ以上のセット値を変更できるセッティング変更モードに切り替えることができる。より具体的には、電子装置は、インジケータ領域４０１に対する設定された時間以上のタッチ入力を感知し、保存された少なくとも１つ以上のセット値を変更できるセッティング変更モードに切り替えることができる。以降、電子装置は、タッチスクリーンに少なくとも１つのガイドインタフェース４０２，４０３，４０５を表示できる。本実施形態でのガイドインタフェースは、画面明るさを調節できるガイドインタフェース４０２、振動強度を調節できるガイドインタフェース４０３及びバッテリ容量表示を設定できるガイドインタフェース４０５が表示されていると仮定した。以降、図４の（ａ）に示したように、電子装置は、ユーザからガイドインタフェースの任意の領域をタッチ入力されるか又は任意の領域がドラッグされることを感知し、セット値を変更できる。まず、設定された中心領域４０４を基準に上下の方向にセット値を調節できるガイドインタフェース４０２は、ユーザから設定された中心領域４０４をタッチ入力された後、設定されたセット値をアップ又はダウンできるように調節され得る。例えば、タッチスクリーンに表示されたガイドインタフェース４０２が画面明るさのセット値を調節するものである場合、電子装置は、設定された中心領域４０４をタッチ入力された後、矢印上方又は矢印下方にドラッグされることを感知するか又はタッチ入力されて画面明るさのセット値を変更できる。すなわち、電子装置が設定された中心領域４０４をタッチ入力された場合、電子装置は画面明るさのセット値を調節するためのモードに切り替えられる。以降、電子装置は、設定された中心領域４０４の画面明るさが１０というデフォルト値であることを示す数値などを表示した後、ユーザから感知されたドラッグ方向又はタッチ入力方向に沿って１０という画面明るさから増減している画面明るさを数値などで表示できる。本実施形態で電子装置は、設定された中心領域４０４をタッチ入力された後、矢印下方にドラッグされることを感知するか又はタッチ入力されて減少された画面明るさである２という画面明るさを数値などで表示できる。すなわち、ユーザは、設定された中心領域４０４をタッチ入力した後、矢印上方又は矢印下方にドラッグ又はタッチ入力して細部の画面明るさを調節するか又は既存の画面明るさを変更できる。
【００４１】
以降、図４の（ｂ）に示したように、電子装置は、ユーザから再度設定された中心領域４０４をタッチ入力されると、変更されたセット値が適用され得る。より具体的には、電子装置が設定された中心領域４０４を再度タッチ入力されると、変更されたセット値が適用されることができ、図４の（ｂ）には図示していないが、別途の案内メッセージを表示し、ユーザから案内メッセージ中の終了ボタンを選択されて変更されたセット値が適用されることもできる。しかし、電子装置が終了ボタンを選択されて変更されたセット値を適用するということは、電子装置で案内メッセージをさらにタッチスクリーンに表示した後、ユーザから終了ボタンをさらに入力される過程が必要となるため、ユーザのインタラクションの数が増加し得る。したがって、ユーザのインタラクションの数を減少させるために上記の実施形態のように、設定された中心領域４０４を再度タッチ入力されることが好ましいであろう。図４の（ｂ）では画面明るさが既存の１０という数値から２という数値に変更されたので、従前に保存されていた画面明るさのセット値より画面が暗く表示されることを確認することができる。
【００４２】
以降、電子装置は、セット値のうちオン又はオフに表示され得るセット値を設定できる。すなわち、本発明の電子装置では少なくとも１つのセット値を変更できる。図４の（ｃ）及び（ｄ）では、バッテリ容量表示の有無を設定できるガイドインタフェース４０５を選択し、バッテリ容量表示を設定する一実施形態を示している。もし、電子装置が設定された中心領域４０４を設定された時間以上ロングタッチ入力された場合、電子装置は、他のガイドインタフェースを入力され得るように準備できる状態に進入できる。上記の例で、電子装置で設定された中心領域４０４を設定された時間未満タッチ入力されていると判断した場合、電子装置は、電子装置の画面明るさを既存の１０から２というセット値に変更した後、タッチスクリーンに表示されたガイドインタフェース４０２，４０３，４０５の表示を終了できる。もし、電子装置で設定された中心領域４０４を設定された時間以上タッチ入力されていると判断した場合、電子装置は、他のガイドインタフェース４０３，４０５を入力され得るように準備できる状態に進入できる。すなわち、本実施形態で電子装置は、設定された中心領域４０４を設定された時間以上タッチ入力されたと判断し、電子装置のバッテリ容量表示の有無を設定できる状態に進入できる。まず、図４の（ｃ）に示したように、電子装置は、バッテリ容量表示の有無を設定するために、ガイドインタフェース４０５の設定された中心領域４０６をタッチ入力され得る。例えば、電子装置のタッチスクリーンに表示されたガイドインタフェース４０５の設定された中心領域４０６をタッチ入力された後、時計回り又は反時計回りにドラッグされることを感知して電子装置のバッテリ容量表示の有無を設定できる。本実施形態で電子装置は、設定された中心領域４０６をタッチ入力された後、図４の（ｃ）及び（ｄ）に示したように、反時計回りにドラッグされることを感知して電子装置のバッテリ容量表示を設定しないこともできる。すなわち、図４の（ｄ）に示したように、電子装置のインジケータ領域４０１に表示されたバッテリ表示アイコンがなくなったことを確認することができる。
【００４３】
従来は、電子装置に適用されるセット値を変更するためには実行中のアプリケーションを終了し、セット値を変更できる環境設定領域に進んでユーザの希望するセット値を変更した後、再度従前のアプリケーションを実行しなければならなかった。すなわち、ユーザが実行していたアプリケーションを終了し、セット値を変更し、再度アプリケーションを実行するという面倒さがあった。また、ユーザは、リアルタイムに変化されるセット値を直接目で確認しながら、細部のセット値を調節することができなかった。これに対し、本発明による電子装置は、インジケータ領域に対する設定された時間以上のタッチ入力を感知し、保存されたセット値を変更できるセッティング変更モードに切り替えた後、表示されたガイドインタフェースの任意の領域をタッチ入力されてリアルタイムに変化されるセット値を反映できる。より具体的には、ユーザは、アプリケーションを実行中の状態でアプリケーションを別途終了することなく、即座にセット値を調節することができるのでユーザのインタラクションが減少する長所がある。また、ユーザは、リアルタイムに変化されるセット値を直接目で確認しながら、それぞれのアプリケーションの環境に適するように細部のセット値を調節できる長所がある。
【００４４】
図５は、本発明による電子装置で変更された少なくとも１つのセット値を保存するか否かを決定する一実施形態を示す図である。まず、図５の（ａ）に示したように、アイドルモードをフォアグラウンドで実行している電子装置は、設定された領域を設定された時間以上タッチ入力されて、保存された少なくとも１つ以上のセット値を変更できるセッティング変更モードに切り替えることができる。以降、電子装置は、タッチスクリーンに少なくとも１つのガイドインタフェース５０１，５０２，５０４を表示できる。本実施形態でのガイドインタフェースは、画面明るさを調節できるガイドインタフェース５０１、音量を調節できるガイドインタフェース５０２及び節電モードを設定できるガイドインタフェース５０４が表示されていると仮定した。以降、図５の（ａ）に示したように、電子装置は、ユーザからガイドインタフェースの任意の領域をタッチ入力されるか又は任意の領域がドラッグされることを感知し、セット値を変更できる。まず、ガイドインタフェース５０１は、ユーザから設定された中心領域５０３をタッチ入力された後、設定されたセット値をアップ又はダウンできるように調節され得る。上記の例で、電子装置は、設定された中心領域５０３をタッチ入力された後、矢印上方又は矢印下方にドラッグされることを感知するか又はタッチ入力されて画面明るさのセット値を変更できる。すなわち、電子装置が設定された中心領域５０３をタッチ入力された場合、電子装置は画面明るさのセット値を調節するためのモードに切り替えられる。以降、電子装置は、設定された中心領域５０３の画面明るさが１０というデフォルト値であることを示す数値などを表示した後、ユーザから感知されたドラッグ方向又はタッチ入力方向に沿って１０という画面明るさから増減している画面明るさを数値などで表示できる。本実施形態で電子装置は、設定された中心領域５０３をタッチ入力された後、矢印下方にドラッグされることを感知するか又はタッチ入力されて減少された画面明るさである４という画面明るさを数値などで表示できる。
【００４５】
以降、図５の（ｂ）に示したように、電子装置は、ユーザから再度設定された中心領域５０３をタッチ入力されると、変更されたセット値が適用され得る。より具体的には、電子装置が設定された中心領域５０３を再度タッチ入力されると、変更されたセット値が適用されることができ、図５の（ｂ）には図示していないが、別途の案内メッセージを表示し、ユーザから案内メッセージ中の終了ボタンを選択されて変更されたセット値が適用されることもできる。しかし、電子装置が終了ボタンを選択されて変更されたセット値を適用するということは、電子装置で案内メッセージをさらにタッチスクリーンに表示した後、ユーザから終了ボタンをさらに入力される過程が必要となるため、ユーザのインタラクションの数が増加し得る。したがって、ユーザのインタラクションの数を減少させるために上記の実施形態のように、設定された中心領域５０３を再度タッチ入力されることが好ましいであろう。図５の（ｂ）では画面明るさが既存の１０という数値から４という数値に変更されたので、従前に保存されていた画面明るさのセット値より画面が暗く表示されることを確認することができる。
【００４６】
図５の（ｃ）は、電子装置で以前のアイドルモードを終了した後、Ａアプリケーションを実行した場合、変更されたセット値が適用される一実施形態を示したものである。本発明による電子装置は、タッチスクリーンに表示されたガイドインタフェースの任意の領域に対する所定のジェスチャを感知し、変更された少なくとも１つのセット値を保存するか否かを決定できる。より具体的には、電子装置は、ガイドインタフェース５０１，５０２，５０４の任意の領域に対する所定のジェスチャを感知し、電子装置においてフォアグラウンドで実行されているモードに応じて変更された少なくとも１つのセット値を保存するか否かを決定できる。すなわち、電子装置は、変更されたセット値を適用した後、現在、電子装置においてフォアグラウンドで実行されているモードに応じて変更されたセット値を保存するか否かを決定できる。ここで、電子装置においてフォアグラウンドで実行されているモードは、アイドルモードとアプリケーション実行モードとに区分されることができる。もし、本実施形態のように、電子装置においてフォアグラウンドで実行されているモードがアイドルモードである場合、電子装置は、変更された少なくとも１つのセット値を保存した後、以後電子装置を実行させる際は変更された少なくとも１つのセット値を適用するようになる。より具体的には、電子装置がアイドルモードの実行中に少なくとも１つのセット値を変更した場合、電子装置は変更されたセット値を保存することができる。上記の例では、電子装置がアイドルモードで画面の明るさを減少させるように入力されたので、電子装置は４という数値の画面明るさを電子装置に保存することができる。図５の（ｃ）で確認できるように、電子装置は、アイドルモードで変更された４という画面明るさのセット値に応じてＡアプリケーションをタッチスクリーンに表示する場合、変更される前の画面明るさより暗く表示できる。
【００４７】
図６は、本発明による電子装置で変更された少なくとも１つのセット値を保存するか否かを決定する別の実施形態を示す図である。まず、図６の（ａ）に示したように、Ａアプリケーションをフォアグラウンドで実行している電子装置は、設定された領域を設定された時間以上タッチ入力されて、保存された少なくとも１つ以上のセット値を変更できるセッティング変更モードに切り替えることができる。以降、電子装置は、タッチスクリーンに少なくとも１つのガイドインタフェース６０１，６０２，６０４を表示できる。本実施形態でのガイドインタフェースは、ボリュームを調節できるガイドインタフェース６０１、画面オートオフ時間を調節できるガイドインタフェース６０２及び節電モードを設定できるガイドインタフェース６０４が表示されていると仮定した。以降、図６の（ａ）に示したように、電子装置は、ユーザからガイドインタフェースの任意の領域をタッチ入力されるか又は任意の領域がドラッグされることを感知し、セット値を変更できる。まず、ガイドインタフェース６０２は、ユーザから設定された中心領域６０３をタッチ入力された後、設定されたセット値をアップ又はダウンできるように調節され得る。上記の例で、電子装置は、設定された中心領域６０３をタッチ入力された後、矢印左側方向に又は矢印右側方向にドラッグされることを感知するか又はタッチ入力されて画面オートオフ時間のセット値を変更できる。すなわち、電子装置が設定された中心領域６０３をタッチ入力された場合、電子装置は画面オートオフ時間を調節するためのモードに切り替えることができる。以降、電子装置は、設定された中心領域６０３の画面オートオフ時間が１０秒というデフォルト値であることを示す数値などを表示した後、ユーザから感知されたドラッグ方向又はタッチ入力方向に沿って１０秒という画面オートオフ時間から増減している数値などで表示できる。本実施形態で電子装置は、設定された中心領域６０３をタッチ入力された後、矢印左側方向にドラッグされることを感知するか又はタッチ入力されて、減少された画面オートオフ時間である３秒という数値を表示できる。以降、電子装置は、ユーザから再度設定された中心領域６０３をタッチ入力されると、変更されたセット値が適用され得る。すなわち、電子装置で画面オートオフ時間が従前の１０秒から３秒に変更されたものである。
【００４８】
以降、電子装置は、変更された３秒の画面オートオフ時間でＡアプリケーションを実行した後、図６の（ｂ）に示したように、Ａアプリケーションの終了を入力されると、タッチスクリーンにアプリケーションの実行を終了するかに関するメッセージをタッチスクリーンに表示できる。もし、図６の（ｂ）に示したように、電子装置がＡアプリケーションの終了を入力されると、電子装置は、Ａアプリケーションを終了できる。このとき、本発明による電子装置は、変更されたセット値である画面オートオフ時間を保存するか否かをともに決定する。より具体的には、電子装置は、アイドルモードでセット値が変更されず特定のアプリケーションでセット値が変更されたと確認した場合、実行しているアプリケーションが終了することを確認するとともに変更されたセット値は保存しない。すなわち、図６の（ｃ）に示したように、電子装置でＡアプリケーションを終了した後、再度Ａアプリケーションを実行させた場合、電子装置は、従前にＡアプリケーションを実行している間に変更されたセット値を適用しない。上記の例で、電子装置で変更されたセット値である画面オートオフ時間は保存しなかったため、画面オートオフ時間は変更前の１０秒をそのまま維持する。すなわち、電子装置で再度Ａアプリケーションを実行した場合、電子装置の画面オートオフ時間は１０秒が適用されて実行されることができる。図６の（ｄ）に示したように、電子装置でＡアプリケーションを実行した場合、電子装置は、Ａアプリケーションの実行中にユーザから１０秒間タッチ入力を受けなかった場合、タッチスクリーンにＡアプリケーションの表示を終了できる。
【００４９】
従来の電子装置では、電子装置においてフォアグラウンドでアイドルモードが実行中またはフォアグラウンドで任意のアプリケーションが実行中の場合、電子装置のセット値の変更のためには一回に１つのセット値のみを変更できた。また、電子装置に変更されたセット値は、現在、電子装置においてフォアグラウンドで実行されているアプリケーションだけでなく、実行中のアプリケーションが終了した後、他のアプリケーションにも変更されたセット値が適用されていた。したがって、アプリケーションを実行している周辺環境やそれぞれのアプリケーションの特性に応じて毎回保存されたセット値を変更しなければならない問題点があった。しかし、本発明による電子装置では、それぞれのアプリケーションの実行中にセット値が変更された場合、電子装置の変更されたセット値はアプリケーションの実行中にのみ適用され、実行中のアプリケーションの終了とともに変更されたセット値は保存されない。したがって、本発明の電子装置では実行中のアプリケーションの終了とともに変更されたセット値は保存されないので、毎回それぞれのアプリケーションの特性に合わせてセット値を変更し直さなければならない不便を解消する長所がある。
【００５０】
図７は、本発明による電子装置で変更された少なくとも１つのセット値を保存するか否かを決定するさらに別の実施形態を示す図である。まず、図７の（ａ）に示したように、Ａアプリケーションをフォアグラウンドで実行している電子装置は、設定された領域を設定された時間以上タッチ入力されて、セッティング変更モードに切り替えることができる。以降、電子装置は、タッチスクリーンに少なくとも１つのガイドインタフェース７０１，７０２，７０３を表示できる。本実施形態でのガイドインタフェースは、タッチ音量を調節できるガイドインタフェース７０１、タッチボタン照明点灯時間を調節できるガイドインタフェース７０２及び画面自動回転を設定できるガイドインタフェース７０３が表示されていると仮定した。以降、電子装置は、ユーザからガイドインタフェースの任意の領域をタッチ入力されるか又は任意の領域がドラッグされることを感知し、セット値を変更できる。
【００５１】
まず、電子装置は、ユーザから設定された中心領域７０４をタッチ入力された後、設定された中心領域７０４を基準に時計回り又は反時計回りにドラッグされることを感知し、設定されたセット値をオン又はオフできるように調節され得る。例えば、電子装置は、時計回り又は反時計回りにドラッグされることを感知して電子装置の画面自動回転の有無を設定できる。すなわち、電子装置が設定された中心領域７０４をタッチ入力された場合、電子装置は画面自動回転の有無を設定するためのモードに切り替えられる。以降、図７の（ａ）に示したように、電子装置は、時計回りにドラッグされることを感知して画面自動回転状態をオンさせることができる。
【００５２】
以降、電子装置は、変更された画面自動回転状態でＡアプリケーションを実行した後、図７の（ｂ）に示したように、Ａアプリケーションの終了を入力されると、タッチスクリーンにアプリケーションの実行を終了するかに関するメッセージをタッチスクリーンに表示できる。もし、図７の（ｂ）に示したように、電子装置がＡアプリケーションの終了を入力されると、電子装置はＡアプリケーションを終了できる。ところが、本発明による電子装置は、変更されたセット値である画面自動回転状態を保存するか否かをともに決定できる。より具体的には、電子装置は、任意のアプリケーションの実行中にセット値が変更されたと確認した場合、実行中のアプリケーションが終了することを確認するとともに変更されたセット値は保存しない。すなわち、図７の（ｃ）に示したように、電子装置でＡアプリケーションを終了した後、再度Ａアプリケーションを実行させた場合、電子装置は、従前のＡアプリケーションを実行している間に変更されたセット値を適用しない。電子装置は、Ａアプリケーションだけでなく、他のアプリケーションを実行させた場合、従前にＡアプリケーションを実行している間に変更されたセット値が適用されないことは勿論である。上記の例で、電子装置で変更されたセット値である画面自動回転状態は保存されなかったため、再度Ａアプリケーションを実行した場合も電子装置の画面自動回転状態はオフにされて実行され得る。すなわち、図７の（ｄ）に示したように、電子装置で再度Ａアプリケーションを実行している間に、電子装置が９０度回転された場合、電子装置は回転されない画面をそのままタッチスクリーンに表示できる。
【００５３】
図８は、本発明による保存されたデータ情報を反映してセット値を適用する一実施形態を示す図である。本発明による電子装置は保存されたデータ情報を反映してセット値を適用できる。より具体的には、電子装置は、それぞれのアプリケーションの実行時間、実行場所及びバッテリ状態のうち少なくとも１つ情報を収集して電子装置のセット値に反映できる。すなわち、電子装置で保存された少なくとも１つのアプリケーションのうちそれぞれのアプリケーションを区分してデータ情報を保存し、少なくとも１つのアプリケーションのデータ情報が設定された容量以上保存されたことを検出した場合、電子装置は、保存されたデータ情報が反映されたセット値を適用できる。より具体的には、電子装置は、設定された容量以上のデータ情報が保存されたアプリケーションの実行時間、ＧＰＳ情報及びバッテリ容量のうち少なくとも１つのデータ情報を反映して、セット値を自動的に適用できる。
【００５４】
例えば、図８の（ａ）に示したように、電子装置でＡアプリケーションの実行中に午後１０時２０分に画面明るさと音量をいずれも所定量減少させたと仮定した場合、電子装置は、Ａアプリケーションの実行中に画面明るさ及び音量が減少された数値及び時間などのデータを保存することができる。また、図８の（ｂ）及び（ｃ）に示したように、電子装置でＡアプリケーションの実行中にそれぞれ午後１０時３０分及び午後１０時２５分に画面明るさ及び音量をいずれも所定量減少させたと仮定する。それぞれの場合、電子装置は、Ａアプリケーションの実行中に画面明るさ及び音量が減少された数値及び時間などのデータを保存し、設定された容量以上のデータ情報が保存されたと判断できる。以降、電子装置でＡアプリケーションが保存されたデータ情報の時間範囲内で実行されたと確認した場合、電子装置は、自動的に保存されたデータ情報を反映して、Ａアプリケーションのセット値を設定できる。例えば、図８の（ｄ）に示したように、電子装置は、Ａアプリケーションが保存されたデータ情報である午後１０時２０分から午後１０時３０分の間である午後１０時２８分に実行されることを確認した場合、保存されたデータ情報を反映して画面明るさ及び音量などのセット値を適用できる。
【００５５】
本実施形態では時間を例に挙げて説明したが、電子装置のＧＰＳ情報やバッテリ容量などのデータ情報を利用できることは勿論である。例えば、電子装置でＡアプリケーションの実行中に特定の座標近くでセット値が変更されるデータ情報を設定された容量以上保存されたことを確認したと仮定する。以降、電子装置で保存された特定の座標近くでＡアプリケーションが実行されたことを確認した場合、電子装置は、保存されたデータ情報を用いてセット値を自動的に変更できる。また、電子装置でＡアプリケーションの実行中に、バッテリ容量に応じて変更された画面明るさに関するデータ情報が設定された容量以上保存されたことを確認し、保存されたバッテリ容量による画面明るさのセット値を自動的に設定することができることは勿論である。
【００５６】
図９は、本発明による電子装置の動作順序を示すフローチャートである。まず、図９に示したように、電子装置は、設定された領域に対するタッチ入力を感知し、セッティング変更モードに切り替えることができる（ステップ９０１）。より具体的には、電子装置は、インジケータ領域に対する設定された時間以上のタッチ入力を感知し、保存されたセット値を変更できるセッティング変更モードに切り替えることができる。例えば、電子装置に設定された時間が３秒であると仮定した場合、電子装置は、インジケータ領域に対するタッチ入力を３秒以上感知した場合、保存されたセット値を変更できるセッティング変更モードに切り替えることができる。ここで、電子装置がセット値を変更できるセッティング変更モードに切り替えられるためには、上記のように、インジケータ領域に対する設定された時間以上のタッチ入力を受けなければならない。なぜなら、電子装置がインジケータ領域に対する設定された時間以上のタッチ入力を受けなければセッティング変更モードに切り替えられない理由は、電子装置で発生し得る誤作動を防止するためである。より具体的には、電子装置がセッティング変更モードに切り替えられるためにインジケータ領域に対する設定された時間以上のタッチ入力を必要としない場合、電子装置はユーザの意図しない入力によってセッティング変更モードに切り替えられる誤作動が発生し得るためである。
【００５７】
セッティング変更モードに切り替えた電子装置は、保存されたセット値のうち少なくとも１つのセット値の変更を入力され得る少なくとも１つのガイドインタフェースを表示できる（ステップ９０２）。ガイドインタフェースは、電子装置に保存されたセット値のうちいずれか１つのセット値を調節できるように設定された中心領域を基準に第１方向又は第２方向にドラッグされていることを表示するか又はタッチ入力されていることを表示する所定の形状に定義され得る。より具体的には、ガイドインタフェースは、ユーザが容易にセット値を設定又は調節できるように少なくとも１つ以上タッチスクリーンに表示されたインタフェースと定義され得る。
【００５８】
少なくとも１つのガイドインタフェースを表示した電子装置は、感知されたジェスチャを分析して感知されたジェスチャにマッチングされるように保存されたセット値のうち少なくとも１つのセット値を変更できる（ステップ９０３）。まず、設定された中心領域を基準に上下の方向にセット値を調節できるガイドインタフェースは、ユーザから設定された中心領域をタッチ入力された後、設定されたセット値をアップ又はダウンできるように調節され得る。例えば、タッチスクリーンに表示されたガイドインタフェースがボリュームのセット値を調節するものである場合、電子装置は、設定された中心領域をタッチ入力された後、矢印上方又は矢印下方にドラッグを感知するか又はタッチ入力されてボリュームのセット値を変更できる。別の例として、設定された中心領域を基準に時計回り又は反時計回りにセット値を調節できるガイドインタフェースは、ユーザから設定された中心領域をタッチ入力された後、設定されたセット値をオン又はオフできるように調節され得る。例えば、タッチスクリーンに表示されたガイドインタフェースが電子装置のワイファイの接続有無を設定するものである場合、電子装置は、設定された中心領域をタッチ入力された後、時計回り又は反時計回りにドラッグされることを感知して電子装置のワイファイの接続有無を設定できる。
【００５９】
少なくとも１つのセット値を変更した電子装置は、変更された少なくとも１つのセット値を反映して動作状態を変更できる（ステップ９０４）。より具体的には、電子装置で少なくとも１つのセット値の変更を入力された場合、電子装置は、入力された変更されたセット値を適用して実行できる。例えば、電子装置で画面の明るさを暗く設定された場合、電子装置は、設定されたセット値である画面の明るさを適用して画面を表示できる。
【００６０】
以降、電子装置は、フォアグラウンドでアイドルモードが実行されているか判断できる（ステップ９０５）。より具体的には、電子装置のバックグラウンド（ｂａｃｋｇｒｏｕｎｄ）でどれだけ多くのアプリケーションが実行されていても、現在フォアグラウンドで実行されているモードがアイドルモードであるかを判断できる。例えば、電子装置のバックグラウンドで第１アプリケーション及び第２アプリケーションが実行されていても、電子装置は、フォアグラウンドで実行されているモードがアイドルモードであるか否かを判断できる。
【００６１】
もし、上記の判断過程（ステップ９０５）で、電子装置においてフォアグラウンドでアイドルモードが実行されていると判断した場合、電子装置は変更されたセット値を保存することができる（ステップ９０６）。より具体的には、電子装置は、変更されたセット値を適用した後、現在電子装置においてフォアグラウンドで実行されているモードに応じて変更されたセット値を保存するか否かを決定できる。ここで、電子装置においてフォアグラウンドで実行されているモードは、アイドルモードとアプリケーション実行モードとに区分されることができる。もし、電子装置においてフォアグラウンドで実行されているモードがアイドルモードである場合、電子装置は、変更された少なくとも１つのセット値を保存した後、以後電子装置を実行させる際は変更された少なくとも１つのセット値を適用できる。すなわち、電子装置がアイドルモードの実行中に少なくとも１つのセット値を変更した場合、電子装置は変更されたセット値を保存することができる。
【００６２】
もし、上記の判断過程（ステップ９０５）で、電子装置においてフォアグラウンドでアイドルモードが実行されていないと判断した場合、電子装置は、フォアグラウンドで実行されているアプリケーションが終了したか判断できる（ステップ９０７）。より具体的には、電子装置は、変更された少なくとも１つのセット値を反映してフォアグラウンドで実行されているアプリケーションを実行させた後、フォアグラウンドで実行されているアプリケーションが終了したか判断できる。
【００６３】
電子装置においてフォアグラウンドで実行されているアプリケーションが終了したと判断した場合、電子装置は、変更されたセット値を保存することなくアプリケーションを終了できる（ステップ９０８）。例えば、電子装置でＡアプリケーションを終了した後、再度Ａアプリケーションを実行させた場合、電子装置は、従前にＡアプリケーションを実行している間に変更されたセット値を適用しない。従来の電子装置では電子装置においてフォアグラウンドでアイドルモードが実行中またはフォアグラウンドで任意のアプリケーションが実行中である場合、電子装置のセット値の変更のためには一回に１つのセット値のみを変更できた。また、電子装置に変更されたセット値は、現在電子装置においてフォアグラウンドで実行されているアプリケーションだけでなく、実行されているアプリケーションが終了した後、他のアプリケーションにも変更されたセット値が適用された。したがって、アプリケーションを実行している周辺環境やそれぞれのアプリケーションの特性に応じて毎回保存されたセット値を変更しなければならない問題点があった。これに対し、本発明による電子装置では、それぞれのアプリケーションの実行中にセット値が変更された場合、電子装置の変更されたセット値はアプリケーションの実行中にのみ適用され、実行中のアプリケーションの終了とともに変更されたセット値は保存されない。したがって、本発明の電子装置では実行中のアプリケーションの終了とともに変更されたセット値は保存されないため、毎回それぞれのアプリケーションの特性に合わせてセット値を変更し直さなければならない不便を解消する長所がある。
【００６４】
図１０は、本発明の一実施形態による電子装置の構成を示すブロック図である。このような電子装置１０００は、携帯用電子機器（ｐｏｒｔａｂｌｅ  ｅｌｅｃｔｒｏｎｉｃ  ｄｅｖｉｃｅ）である場合があり、携帯端末（ｐｏｒｔａｂｌｅ  ｔｅｒｍｉｎａｌ）、携帯電話（ｍｏｂｉｌｅ  ｐｈｏｎｅ）、モバイルパッド（ｍｏｂｉｌｅ ｐａｄ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置である場合もある。また、このような装置のうち２種以上の機能を組み合わせた装置を含む任意の携帯用電子装置である場合もある。
【００６５】
このような電子装置１０００は、メモリ１０１０、プロセッサユニット（ｐｒｏｃｅｓｓｏｒ  ｕｎｉｔ）１０２０、入出力システム１０３０、タッチスクリーン１０４０、その他入力制御装置１０５０、オーディオサブシステム１０６０及び外部ポート１０７０を含み得る。
【００６６】
プロセッサユニット１０２０は、メモリインタフェース１０２１、１つ以上のプロセッサ１０２２及び周辺装置インタフェース（ｐｅｒｉｐｈｅｒａｌ  ｉｎｔｅｒｆａｃｅ）１０２３を含み得る。場合によっては、プロセッサユニット１０２０全体をプロセッサと称することもある。本発明でプロセッサユニット１０２０は、設定された領域に対するタッチ入力を感知し、保存されたセット値を変更できるセッティング変更モードに切り替え、表示されたガイドインタフェースの任意の領域に対する所定のジェスチャを感知し、変更された少なくとも１つのセット値を保存するか否かを決定する。また、プロセッサユニット１０２０は、設定された領域に対する設定された時間以上のタッチ入力を感知し、セッティング変更モードに切り替える。また、プロセッサユニット１０２０は、感知されたジェスチャを分析して感知されたジェスチャにマッチングされるように保存されたセット値のうち少なくとも１つのセット値を変更し、変更された少なくとも１つのセット値を反映して通信状態、音量状態及び画面状態のうち少なくとも１つの動作状態を変更する。また、プロセッサユニット１０２０は、アイドルモードがフォアグラウンドで実行されていることを確認し、変更された少なくとも１つのセット値を保存した後、フォアグラウンドで実行されているアイドルモードを終了する。また、プロセッサユニット１０２０は、アイドルモード及び保存された少なくとも１つのアプリケーションのうちいずれか１つをフォアグラウンドで実行し、保存されたセット値が反映されて通信状態、音量状態及び画面状態のうち少なくとも１つの動作状態が変更されたことを検出する。また、プロセッサユニット１０２０は、任意のアプリケーションがフォアグラウンドで実行されていることを確認し、変更された少なくとも１つのセット値を保存することなく、アプリケーションの実行を終了する。また、プロセッサユニット１０２０は、アイドルモード及び保存された少なくとも１つのアプリケーションのうちいずれか１つをフォアグラウンドで実行し、変更される前のセット値が反映されて通信状態、音量状態及び画面状態のうち少なくとも１つの動作状態が変更されなかったことを検出する。また、プロセッサユニット１０２０は、少なくとも１つのアプリケーションのデータ情報が設定された容量以上保存されたことを検出し、設定された容量以上のデータ情報が保存されたアプリケーションがフォアグラウンドで実行されていることを確認した場合、保存されたデータ情報が反映されたセット値を適用する。また、プロセッサユニット１０２０は、設定された容量以上のデータ情報が保存されたアプリケーションの実行時間、ＧＰＳ情報及びバッテリ容量のうち少なくとも１つのデータ情報を反映してセット値を適用する。
【００６７】
プロセッサ１０２２は、様々なソフトウェアプログラムを実行して電子装置１０００のための様々な機能を行い、また、音声通信及びデータ通信のための処理及び制御を行う。また、このような通常の機能に加え、プロセッサ１０２２は、メモリ１０１０に保存されている特定のソフトウェアモジュール（命令セット）を実行してそのモジュールに対応する特定の様々な機能を行う役割も果たす。すなわち、プロセッサ１０２２は、メモリ１０１０に保存されたソフトウェアモジュールと連動して本発明の実施形態の方法を行う。
【００６８】
プロセッサ１０２２は、１つ以上のデータプロセッサ、イメージプロセッサ、又はコーデック（ＣＯＤＥＣ）を含み得る。データプロセッサ、イメージプロセッサ又はコーデックは、別途構成することもできる。また、互いに異なる機能を行ういくつかのプロセッサで構成されることもできる。周辺装置インタフェース１０２３は、電子装置１０００の入出力システム１０３０及びメモリ１０１０を（メモリインタフェースを介して）接続させる。
【００６９】
電子装置１０００の様々な構成要素は、１つ以上の通信バス（符号記載せず）又はストリーム線（符号記載せず）によって結合（ｃｏｕｐｌｅｄ）され得る。
【００７０】
外部ポート１０７０は、携帯用電子装置（図示せず）を他の電子装置に直接接続するかまたはネットワーク（例えば、インターネット、イントラネット、無線ＬＡＮ等）を介して他の電子装置に間接的に接続するために使用される。外部ポート１０７０は、例えば、これらに限定されないが、ＵＳＢ（Ｕｎｉｖｅｒｓａｌ  ｓｅｒｉａｌ  Ｂｕｓ）ポート又はＦＩＲＥＷＩＲＥポートなどをいう。
【００７１】
オーディオサブシステム１０６０がスピーカ１０６１に結合されて音声認識、音声複製、デジタルレコーディング（ｒｅｃｏｒｄｉｎｇ）及び電話機能のようなオーディオストリームの入力と出力を担当することができる。すなわち、オーディオサブシステム１０６０は、スピーカ（ｓｐｅａｋｅｒ）１０６１を介してユーザとコミュニケーションする（ｃｏｍｍｕｎｉｃａｔｅ）。オーディオサブシステム１０６０は、プロセッサユニット１０２０の周辺装置インタフェース１０２３を介してデータストリームを受信し、受信したデータストリームを電気ストリームに変換する。変換された電気ストリーム（ｅｌｅｃｔｒｉｃ  ｓｉｇｎａｌ）は、スピーカ１０６１に伝達される。スピーカ１１６１は、電気ストリームを人が聴ける音波（ｓｏｕｎｄｗａｖｅ）に変換して出力する。オーディオサブシステム１０６０は、受信した電気ストリームをオーディオデータストリームに変換し、変換されたオーディオデータストリームを周辺装置インタフェース１０２３に伝送する。オーディオサブシステム１０６０は、脱着可能な（ａｔｔａｃｈａｂｌｅ  ａｎｄ  ｄｅｔａｃｈａｂｌｅ）イヤホン（ｅａｒｐｈｏｎｅ）、ヘッドホン（ｈｅａｄｐｈｏｎｅ）又はヘッドセット（ｈｅａｄｓｅｔ）を含み得る。
【００７２】
入出力（Ｉ／Ｏ、Ｉｎｐｕｔ／Ｏｕｔｐｕｔ）システム１０３０は、タッチスクリーン制御器１０３１及び／又はその他の入力制御器１０３２を含み得る。タッチスクリーン制御器１０３１は、タッチスクリーン１０４０に結合され得る。タッチスクリーン１０４０及びタッチスクリーン制御器１０３１は、以下に限定しないが、タッチスクリーン１０４０との１つ以上の接触点を決定するための容量性、抵抗性、赤外線及び表面音響波技術だけでなくその他近接センサ配列又はその他要素を含む任意のマルチタッチ感知技術を用いて接触及びモーション又はこれらの中断を検出できる。その他の入力制御器１０３２は、その他の入力／制御装置１０５０に結合され得る。その他の入力／制御装置１０５０は、１つ以上のボタン、ロッカー（ｒｏｃｋｅｒ）スイッチ、サムホイール（ｔｈｕｍｂ−ｗｈｅｅｌ）、ダイヤル（ｄｉａｌ）、スティック（ｓｔｉｃｋ）、及び／又はスタイラスのようなポインタ装置などである場合がある。
【００７３】
タッチスクリーン１０４０は、電子装置１０００とユーザとの間に入力／出力インタフェースを提供する。すなわち、タッチスクリーン１０４０は、ユーザのタッチ入力を電子装置１０００に伝達する。また電子装置１０００からの出力をユーザに示す媒介体である。すなわち、タッチスクリーン１０４０は、ユーザに視覚的な出力を示す。このような視覚的出力（ｖｉｓｕａｌ  ｏｕｔｐｕｔ）は、テキスト（ｔｅｘｔ）、グラフィック（ｇｒａｐｈｉｃ）、ビデオ（ｖｉｄｅｏ）及びこれらの組み合わせの形態で示される。
【００７４】
タッチスクリーン１０４０は、様々なディスプレイが使用され得る。例えば、これに限定しないが、ＬＣＤ（ｌｉｑｕｉｄ  ｃｒｙｓｔａｌ  ｄｉｓｐｌａｙ）、ＬＥＤ（Ｌｉｇｈｔ  Ｅｍｉｔｔｉｎｇ  Ｄｉｏｄｅ）、ＬＰＤ（ｌｉｇｈｔ  ｅｍｉｔｔｉｎｇ  ｐｏｌｙｍｅｒ  ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）を使用することができる。
【００７５】
メモリ１０１０はメモリインタフェース１０２１に結合され得る。メモリ１０１０は、１つ以上の磁気ディスク保存装置のような高速ランダムアクセスメモリ及び／又は不揮発性メモリ、１つ以上の光保存装置及び／又はフラッシュメモリ（例えば、ＮＡＮＤ、ＮＯＲ）を含み得る。
【００７６】
メモリ１０１０はソフトウェアを格納する。ソフトウェア構成要素は、オペレーションシステム（ｏｐｅｒａｔｉｎｇ  ｓｙｓｔｅｍ）モジュール１０１１及びグラフィックモジュール１０１２などを含む。また、ソフトウェア構成要素であるモジュールは命令の集合で表現できるので、モジュールを命令セット（ｉｎｓｔｒｕｃｔｉｏｎ  ｓｅｔ）で表現する場合もある。また、モジュールはプログラムで表現する場合もある。本発明のメモリ１０１０は、保存された少なくとも１つのアプリケーションのうちそれぞれのアプリケーションを区分してデータ情報を保存する。
【００７７】
オペレーションシステムソフトウェア１０１１（例えば、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳＸ、又はＶｘＷｏｒｋｓのような内蔵オペレーションシステム）は、一般的なシステム動作（ｓｙｓｔｅｍ  ｏｐｅｒａｔｉｏｎ）を制御する様々なソフトウェア構成要素を含む。かかる一般的なシステム動作の制御は、例えば、メモリ管理及び制御、保存用ハードウェア（装置）制御及び管理、電力制御及び管理などを意味する。このようなオペレーションシステムソフトウェアは、様々なハードウェア（装置）とソフトウェア構成要素（モジュール）との間の通信を円滑にする機能も行う。
【００７８】
グラフィックモジュール１０１２は、タッチスクリーン１０４０上にグラフィックを提供して表示するための様々なソフトウェア構成要素を含む。グラフィック（ｇｒａｐｈｉｃｓ）という用語は、テキスト（ｔｅｘｔ）、ウェブページ（ｗｅｂｐａｇｅ）、アイコン（ｉｃｏｎ）、デジタルイメージ（ｄｉｇｉｔａｌｉｍａｇｅ）、ビデオ（ｖｉｄｅｏ）、アニメーション（ａｎｉｍａｔｉｏｎ）などを含む意味として用いられる。本発明でタッチスクリーン１０４０は、保存されたセット値のうち少なくとも１つのセット値の変更を入力され得る少なくとも１つのガイドインタフェースを表示し、フォアグラウンドで実行されているアイドルモードの終了を入力され、フォアグラウンドで実行されているアプリケーションの終了を入力される。
【００７９】
また、上記及び下記の本発明による電子装置１２００の様々な機能は、１つ以上のストリームプロセッシング（ｐｒｏｃｅｓｓｉｎｇ）及び／又は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  ｃｉｒｃｕｉｔ）を含むハードウェア及び／又はソフトウェア及び／又はこれらの組み合わせによって実行され得る。
【００８０】
図１１は、本発明によるブルートゥースで接続可能なデバイスのうちいずれか１つのデバイスを選択する一実施形態を示す図である。まず、Ａアプリケーションをフォアグラウンドで実行している電子装置は、設定された領域であるインジケータ領域１１０１に対する設定された時間以上のタッチ入力を感知し、電子装置に保存された少なくとも１つ以上のセット値を変更できるセッティング変更モードに切り替えることができる。より具体的には、電子装置は、インジケータ領域１１０１に対する設定された時間以上のタッチ入力を感知し、タッチスクリーンに少なくとも１つのガイドインタフェース１１０２，１１０３を表示できる。図１１の（ａ）に示したように、電子装置は、タッチスクリーンの任意の領域に設定された中心領域１１０４を基準に時計回り又は反時計回りにそれぞれワイファイで接続可能なＡＰ（Ａｃｃｅｓｓ  Ｐｏｉｎｔ）のリスト又はブルートゥースで接続可能な設定されたデバイスリストを表示できる。本実施形態では、電子装置からワイファイで接続可能なＡＰのうちいずれか１つを選択できるガイドインタフェース１１０２と、電子装置とブルートゥースで接続可能な設定されたデバイスのうちいずれか１つを選択できるガイドインタフェース１１０３とを表示できる。すなわち、電子装置のタッチスクリーンに表示されたガイドインタフェース１１０２，１１０３のうち左側のガイドインタフェース１１０２は、電子装置からワイファイで接続可能なＡＰを選択することができ、右側のガイドインタフェース１１０３は、電子装置とブルートゥースで接続可能なデバイスを選択することができる。例えば、電子装置は、タッチスクリーンの右側に表示されたガイドインタフェース１１０３の設定された中心領域１１０４をタッチ入力された後、時計回り又は反時計回りにドラッグされることを感知して、電子装置とブルートゥースで接続可能な設定されたデバイスのうちいずれか１つを選択されることができる。すなわち、電子装置は、設定された中心領域１１０４をタッチ入力された後、図１１の（ｂ）及び図１１の（ｃ）に示したように、時計回りにドラッグされることを感知して、電子装置とブルートゥースで接続され得る設定されたデバイスのリストを表示できる。より具体的には、図１１の（ｂ）に示したように、電子装置でガイドインタフェース１１０３の４分の１に該当する領域がドラッグされることを感知した場合、電子装置は、設定されたデバイスのうちいずれか１つである「Ａデバイス」というデバイスリストを表示できる。以降、図１１の（ｃ）に示したように、電子装置で引き続きガイドインタフェース１１０３の４分の２に該当する領域がドラッグされることを感知した場合、設定されたデバイスのうちいずれか１つである「Ｂデバイス」というデバイスリストを表示できる。もし、電子装置でドラッグが終了したことを感知した場合、電子装置は、現在タッチスクリーンに表示されたデバイスリストに該当するデバイスと自動的にブルートゥース接続を行うことができる。以降、図１１の（ｄ）に示したように、電子装置でタッチスクリーンにＢデバイスというデバイスリストを表示した状態で、ドラッグが終了したことを感知した場合、電子装置は、現在タッチ���クリーンに表示されたＢというデバイスと自動的にブルートゥース接続されたという案内メッセージを表示できる。
【００８１】
特許請求の範囲内にあって、このような実施形態を変形できる多くの様々な方式が明らかに存在する。換言すれば、添付の特許請求の範囲から逸脱することなく本発明を実施できる多くの他の方式があり得る。
【符号の説明】
【００８２】
１０００  電子装置
１０１０  メモリ
１０１１  オペレーションシステムモジュール
１０１２  グラフィックモジュール
１０２０  プロセッサユニット
１０２１  メモリインタフェース
１０２２  プロセッサ
１０２３  周辺装置インタフェース
１０３０  入出力システム
１０３１  タッチスクリーン制御器
１０３２  その他の入力制御器
１０４０  タッチスクリーン
１０５０  その他の入力／制御装置
１０６０  オーディオサブシステム
１０６１  スピーカ
１０７０  外部ポート
【図１】
2014096134.tif 000003
【図２】
2014096134.tif 000004
【図３】
2014096134.tif 000005
【図４】
2014096134.tif 000006
【図５】
2014096134.tif 000007
【図６】
2014096134.tif 000008
【図７】
2014096134.tif 000009
【図８】
2014096134.tif 000010
【図９】
2014096134.tif 000011
【図１０】
2014096134.tif 000012
【図１１】
2014096134.tif 000013